(57)【特許請求の範囲】
【請求項１】
昇降路に設けられた乗場位置に対応した上記昇降路の壁側に一側が枢着されて常時は上記壁面に沿う引退位置に配置される台板と、一側が上記壁側に他側は上記台板の回動端側に係合されて要時に上記台板を水平位置に保持する保持機構と、一端が上記台板に連結されて常時は短縮状態に配置され、要時に下垂状態に伸長される伸縮梯子と、Ｕ字状に形成されて複数本によって上記伸縮梯子を形成し、上記伸縮梯子の最上段に配置される一本のＵ字の上端が上記台板の回動端に枢着されたタラップ部材と、これらのタラップ部材のＵ字上端に設けられて隣接した他の上記タラップ部材のＵ字の両側の垂画にそれぞれ摺動自在に係合され上記垂画の下端で逸脱が阻止された摺動係合片とを備えたエレベーター用作業台装置。
【発明の詳細な説明】
【０００１】
【発明の属する技術分野】
この発明は、昇降路内に設けられて保守作業時に使用されるエレベーター用作業台装置に関する。
【０００２】
【従来の技術】
エレベーターは従来次に述べるようにして保守作業が行われていた。すなわち、建物の最下階の乗場から昇降路外に保管されている梯子が昇降路内に持ち込まれる。そして、梯子をピットに仮設して作業員がピットに降り、ピット及び昇降路内の下部寄りに設けられたエレベーター機器の保守、点検が実施される。
【０００３】
【発明が解決しようとする課題】
上記のような従来の保守作業において、保守作業時に外部に保管されている梯子を運搬して昇降路内に搬入する煩雑な手数を要するという問題点があった。また、昇降路内に巻上機等が設けられた機械室なし形態のエレベーターでは、建物の最下階の乗場床面から僅かに上がった位置にエレベーターの巻上機、制御盤等の機器が設置される。このため、これら巻上機等の機器に対して仮設した梯子に作業員がのぼって行われる保守作業は作業性が悪く作業能率が低下するという問題点があった。
【０００４】
この発明は、かかる問題点を解消するためになされたものであり、昇降路内の下部寄りのエレベーター機器の保守作業を容易に実施できるエレベーター用作業台装置を得ることを目的とする。
【０００５】
【課題を解決するための手段】
この発明に係るエレベーター用作業台装置においては、昇降路に設けられた乗場位置に対応した昇降路の壁側に一側が枢着されて、常時は壁面に沿う引退位置に配置される台板と、一側が昇降路の壁側に他側は台板の回動端側に係合されて要時に台板を水平位置に保持する保持機構と、一端が台板に連結されて常時は短縮状態に配置され、要時に下垂状態に伸長される伸縮梯子と、Ｕ字状に形成されて複数本によって伸縮梯子を形成し、伸縮梯子の最上段に配置される一本のＵ字の上端が台板の回動端に枢着されたタラップ部材と、これらのタラップ部材のＵ字上端に設けられて隣接した他のタラップ部材のＵ字の両側の垂画にそれぞれ摺動自在に係合され垂画の下端で逸脱が阻止された摺動係合片とが設けられる。
【０００６】
【発明の実施の形態】
実施の形態１．
図１〜図６は、この発明の実施の形態の一例を示す図で、図１は台板が水平位置に配置された状態を概念的に示す昇降路要部の立面図、図２は図１の平面を拡大して示す図、図３は図１の台板が引退位置に配置された状態を示す図１相当図、図４は図３の平面を拡大して示す図、図５は図３の状態の台板を水平位置に配置する第一状態を説明する立面図、図６は図５の状態の台板を水平位置に配置する第二状態を説明する立面図である。
【０００７】
図において、１はエレベーターの昇降路、２は昇降路１の壁、３は昇降路１における建物の最下階（図示しない）の乗場床面位置、４は壁２に設置されて乗場床面位置３から僅かに上がった位置に配置された制御盤からなるエレベーターの機器、５は昇降路１の壁２の要部をなし壁２面に装着されたブラケットで、水平方向に互いに離れて壁２に設置されて乗場床面位置３よりも下方に配置されている。６は台板で、ブラケット５の相互間に配置され一側が壁２側、すなわちブラケット５の上端寄りに枢着され、常時は壁２面に沿う引退位置に配置される。
【０００８】
７は保持機構で、一端が壁２側、すなわちブラケット５の下端寄りに枢着された第一部材８、一端が台板６の回動端寄りに枢着され他端は第一部材８の回動端に枢着された第二部材９並びに第一部材８及び第二部材９の両者が要時に一直線に配置された状態で上記両者に係合されて上記両者の相対回動変位を阻止する阻止片１０によって構成されている。なお、上記両者は台板６が水平位置に配置された状態で一直線配置となり台板６の下降回動を阻止する。
【０００９】
１１は伸縮梯子で、Ｕ字状に形成された複数のタラップ部材１２、タラップ部材１２のＵ字上端に設けられて隣接した他のタラップ部材１２のＵ字の両側の垂画にそれぞれ摺動自在に係合されて垂画の下端で逸脱が阻止された摺動係合片１３及び図示が省略してあるが複数のタラップ部材１２を重合状態で結束する掛け金具等の結束具によって構成されている。なお、伸縮梯部材１１の最上段におけるタラップ部材１２の上端は台板６の回動端に枢着されている。
【００１０】
１４は嵌合筒で、台板６の回動端部の両側にそれぞれ固定されて図１に示す状態で中心線が上下方向に配置される嵌合孔が設けられている。１５は作業用手摺で、保守作業時すなわち台板６が水平位置に配置された状態で、人為操作によって嵌合筒１４に下端部が嵌合されて台板６の回動側の端部に立設される。
【００１１】
上記のように構成されたエレベーター用作業台装置において、ブラケット５、台板６、保持機構７及び伸縮梯子１１を主要部材とするエレベーター用作業台装置が昇降路１の下部寄りに常設される。そして、通常時には台板６が昇降路１の壁２面に沿う引退位置に配置される。
【００１２】
また、伸縮梯子１１は通常時に複数のタラップ部材１２が結束具によって互いに重合状態に結束されることによって短縮され、昇降路１の壁２面に沿う位置に配置される。これによって、エレベーター用作業台装置が図３に示すように引退状態に保持される。そして、図３に示す状態でエレベーターが支障なく通常運転される。
【００１３】
そして、昇降路１内の下部寄りに設けられたエレベーター機器の保守作業時には、次に述べるようにしてエレベーター用作業台装置が作業位置に配置される。すなわち、図３に示す状態から台板６の回動端が持ち上げられて図５に示す状態を経て図６に示すように台板６が作業位置、すなわち水平位置に配置される。この状態では保持機構７の第一部材８及び第二部材９の両者が一直線に配置されて阻止片１０によって上記両者の屈折変位が阻止されて、台板６が水平位置に保持される。
【００１４】
次いで、伸縮梯子１１は複数のタラップ部材１２の結束具による結束が解除されて下垂状態に伸長される。また、作業用手摺１５が嵌合筒１４の嵌合孔に嵌合されて台板６の回動側の端部に立設される。これによって、台板６が水平位置に保持され、伸縮梯子１１は下垂状態に伸長され、作業用手摺１５が台板６に立設されて図１に示す状態となり台板６上での作業によって昇降路１内の下部寄りの制御盤４等の機器の保守作業が行われる。
【００１５】
上記のように構成されたエレベーター用作業台装置において、昇降路１内の下部寄りの機器の保守作業時に、外部に保管されている梯子を運搬して昇降路１内に搬入する手数が不要になる。また、昇降路１内の下部寄りの機器の保守、点検を水平位置に保持された台板６上からの作業によって行うことができる。
【００１６】
これにより、容易に保守作業を行うことができ作業能率を向上することができる。また、台板６から伸縮梯子１１が下垂して設けられるので、エレベーターにおける昇降路１のピット深さの差異に容易に対応することができる。したがって、エレベーターごとにピット深さに見合った伸縮梯子１１を製作する必要がなく、エレベーター用作業台装置の生産性を向上することができる。
【００１７】
【発明の効果】
この発明は以上説明したように、昇降路に設けられた乗場位置に対応した昇降路の壁側に一側が枢着されて、常時は壁面に沿う引退位置に配置される台板と、一側が昇降路の壁側に他側は台板の回動端側に係合されて要時に台板を水平位置に保持する保持機構と、一端が台板に連結されて常時は短縮状態に配置され、要時に下垂状態に伸長される伸縮梯子と、Ｕ字状に形成されて複数本によって伸縮梯子を形成し、伸縮梯子の最上段に配置される一本のＵ字の上端が台板の回動端に枢着されたタラップ部材と、これらのタラップ部材のＵ字上端に設けられて隣接した他のタラップ部材のＵ字の両側の垂画にそれぞれ摺動自在に係合され垂画の下端で逸脱が阻止された摺動係合片とを設けたものである。
【００１８】
これによって、台板、保持機構、Ｕ字状をなす複数のタラップ部材が摺動自在に係合されてなる伸縮梯子等からなるエレベーター用作業台装置が昇降路の下部寄りに常設され、通常時には台板等が昇降路の壁面に沿う引退位置に配置される。そして、昇降路内の下部寄りに設けられた機器の保守作業時には、保持機構を介して台板が作業位置、すなわち水平位置に保持され、伸縮梯子は下垂状態に伸長される。この状態で台板上での作業によって昇降路内の下部寄りの機器の保守作業が行われる。したがって、昇降路内の下部寄りの機器の保守作業時に外部に保管されている梯子を昇降路内に搬入する手数を要せず、また昇降路内の下部寄りの機器の保守を水平位置に保持された台板上からの作業によって行うことができて、容易に保守作業を行うことができ作業能率を向上する効果がある。
【図面の簡単な説明】
【図１】  この発明の実施の形態１を示す図で、台板が水平位置に配置された状態を概念的に示す昇降路要部の立面図。
【図２】  図１の平面を拡大して示す図。
【図３】  図１の台板が引退位置に配置された状態を示す図１相当図。
【図４】  図３の平面を拡大して示す図。
【図５】  図３の状態の台板を水平位置に配置する第一状態を説明する立面図。
【図６】  図５の状態の台板を水平位置に配置する第二状態を説明する立面図。
【符号の説明】
１  昇降路、    ２  壁、    ６  台板、    ７  保持機構、    １１  伸縮梯子、    １２  タラップ部材、    １３  摺動係合片。
【図１】
0003640019.tif 000002
【図２】
0003640019.tif 000003
【図３】
0003640019.tif 000004
【図４】
0003640019.tif 000005
【図５】
0003640019.tif 000006
【図６】
0003640019.tif 000007